(57)【要約】【課題】  緊急避難を要する場合にも、枕元に最小限必要な物を収納した避難時携帯用具を提供する。【解決手段】  この発明に係る避難時携帯用具は、避難時に持ち出したい物を収納可能に区画された複数の内部空間を有し、蓋部によって開閉可能な収納ボックスと、該収納ボックスから延出する肩下げ紐と、該肩下げ紐が着脱自在に接着される所定の面積を有する押さえマットとによって少なくとも構成される。また、前記収納ボックスには、蓋部の開閉に伴ってオンオフする照明器具が設けられる。さらに、前記収納ボックスの内部空間は、少なくとも眼鏡が収納可能な空間と、入れ歯を収納可能な空間と、薬が収納可能な空間と、健康保険証が収納可能な空間と、財布が収納可能な空間と、懐中電灯が収納可能な空間とによって少なくとも構成される。さらにまた、前記収納ボックスは、防災頭巾に着脱自在に収納される。【選択図】  図１
2005253843.tif 000002
【特許請求の範囲】
【請求項１】
避難時に持ち出したい物を収納可能に区画された複数の内部空間を有し、蓋部によって開閉可能な収納ボックスと、
該収納ボックスから延出する肩下げ紐と、
該肩下げ紐が着脱自在に接着される所定の面積を有する押さえマットとによって少なくとも構成される避難時携帯用具。
【請求項２】
前記収納ボックスには、蓋部の開閉に伴ってオンオフする照明器具が設けられることを特徴とする請求項１記載の避難時携帯用具。
【請求項３】
前記収納ボックスの内部空間は、少なくとも眼鏡が収納可能な空間と、入れ歯を収納可能な空間と、薬が収納可能な空間と、健康保険証が収納可能な空間と、財布が収納可能な空間と、懐中電灯が収納可能な空間とによって少なくとも構成されることを特徴とする請求項１又は２記載の避難時携帯用具。
【請求項４】
前記収納ボックスは、防災頭巾に着脱自在に収納されることを特徴とする請求項１，２又は３記載の避難時携帯用具。
【請求項５】
前記収納ボックスと前記防災頭巾とは、付着テープによって着脱自在に固定されることを特徴とする請求項４記載の避難時携帯用具。
【発明の詳細な説明】
【技術分野】
【０００１】
この発明は、地震、火災、風水害等の災害時に、必要最小限度の必需品を確実に持ち出せるようにした避難時携帯用具に関する。
【背景技術】
【０００２】
特許文献１に開示される災害時避難袋セットは、本体と蓋体とを外周面のファスナーで開閉可能に連設した難燃性材料よりなるスーツケース状のバッグと、上記本体と蓋体内に各々収容され、一定の弾力性と所定の厚みを備えると共に災害避難用物資を収容保持する多数の凹部を形成したスペーサと、上記凹部に収容される避難用物資と構成される。さらに、本体側スペーサと蓋体側スペーサとの間に収容避難物資の押圧用スペーサが設けられる。
【特許文献１】特開平８−２８０４４５号公報
【発明の開示】
【発明が解決しようとする課題】
【０００３】
しかしながら、上記特許文献１で開示されるような避難袋は、場所を取るため、常に枕元に置いて就寝することは不可能であり、所定の場所に格納することとなる。このような場合、就寝時に停電が発生した時に、格納した場所まで移動して避難袋を取り出し、屋外へ退去することは不可能である。また、通常毎日使用する携帯電話、眼鏡、入れ歯、薬などを、避難袋に入れることは少なく、別々の場所に保管されていることが多い。
【０００４】
また、眼鏡、入れ歯、懐中電灯、服用しなければならない薬、携帯電話など、常に身近に置いておく必要のあるものは、一度に持ち出す必要が生じる。
【０００５】
このため、この発明は、緊急避難を要する場合にも、枕元に最小限必要な物を収納した避難時携帯用具を提供することにある。
【課題を解決するための手段】
【０００６】
したがって、この発明に係る避難時携帯用具は、避難時に持ち出したい物を収納可能に区画された複数の内部空間を有し、蓋部によって開閉可能な収納ボックスと、該収納ボックスから延出する肩下げ紐と、該肩下げ紐が着脱自在に接着される所定の面積を有する押さえマットとによって少なくとも構成されるものである。尚、肩下げ紐は、フック状の毛羽立ちとパイル状の毛羽立ちからなる付着テープ、いわゆるマジックテープ（商標）によって押さえマットに着脱自在に固定されることが望ましい。
【０００７】
また、前記収納ボックスには、停電時にも眼鏡等を安全に取り出し避難するためにも、蓋部の開閉に伴ってオンオフする照明器具が設けられることが望ましい。
【０００８】
さらに、前記収納ボックスの内部空間は、少なくとも眼鏡が収納可能な空間と、入れ歯を収納可能な空間と、薬が収納可能な空間と、健康保険証が収納可能な空間と、財布や小銭入れが収納可能な空間と、懐中電灯が収納可能な空間とによって少なくとも構成されることが望ましい。また、携帯電話などを収納可能とすることが望ましい。さらに、健康保険証などを入れるための空間として、蓋の裏側部分に収納用のポケットを設けても良いものである。
【０００９】
さらにまた、前記収納ボックスは、防災頭巾に着脱自在に収納されることが望ましい。また、前記収納ボックスと前記防災頭巾とは、付着テープによって着脱自在に固定可能であることが望ましい。
【００１０】
さらに、押さえマットは、所定の材質の生地を用いることによって、ショールとして利用したり、座布団として利用できるようにしても良いものである。
【発明の効果】
【００１１】
この発明によれば、肩下げ紐が押さえマットに接着（固定）された状態で、押さえマットを布団又はベッドのマットレスの下に差し込むことによって、防具袋内に収納された収納ボックスが就寝場所近辺に固定されるため、避難時に容易にその場所を特定することができるという効果を持っている。
【００１２】
また、前記収納ボックスには、眼鏡、入れ歯、薬、健康保険証等の必要書類、財布、小銭入れ、懐中電灯などが効率良く収納できる空間が仕切りによって区画されているので、物が収納し易いという効果を持っている。
【００１３】
さらに、前記収納ボックスを前記防災頭巾に収納するようにしたので、防災頭巾も忘れずに持ち出すことができる。
【発明を実施するための最良の形態】
【００１４】
以下、この発明の実施例について図面により説明する。
【実施例】
【００１５】
本願発明の係る避難時携帯用具１は、図１に示すように、押さえマット２と、収納ボックス３と、この収納ボックス３から延出する肩下げ紐５とによって構成される。尚、肩下げ紐５は、フック状の毛羽立ちとパイル状の毛羽立ちからなる付着テープ（いわゆるマジックテープ（商標））６によって押さえマット２に着脱自在に固定される。
【００１６】
前記収納ボックス３は、軽量化を図るために樹脂で形成されるもので、例えば、図２に示すように、蓋部３１が蝶番部３３を介して開閉自在に設けられた本体部３２を有し、またこの本体部２内に画成された複数の収納空間３６，３７，３８，３９，４０を有している。例えば、３６は眼鏡が収納可能な大きな収納空間であり、３７は入れ歯が収納可能な収納空間であり、３８は懐中電灯や携帯電話などが収納可能な収納空間であり、３９は健康保険証、財布等の書類が収納可能な収納空間であり、４０は薬や小銭入れ等が収納可能な収納空間である。さらに、蓋部３１の裏側部分に、収納ポケット６０を設け、健康保険証等の書類を入れるようにしても良いものである。さらに、前記蓋部３１は、一対の鍵部３４，３５によって前記本体部３２に固定される。また、収納ボックス３には、図１、図３及び図４に示すように、肩下げ紐５がその側面部分から延出して設けられるが、収納ボックス３に対して着脱自在としても良いものである。
【００１７】
さらに、前記収納ボックス３の蓋部３１には、蓋部３１の開扉寺に点灯する照明部５０が設けられる。これによって、収納ボックス３内に保管してある眼鏡等が簡単に見つけられるものである。
【００１８】
以上の構成の避難時携帯用具１は、図３に示すように、前記肩下げ紐５が固着された押さえマット２を布団１０等の下に差し込んだ状態とすることによって、収納ボックス３が移動することを防止できるため、就寝時において、常に一定の位置に収納ボックス３を留めておくことができ、いざというときに迅速に避難ができるものである。
【００１９】
この場合、前記収納ボックス３は、図３及び図４で示すように、防災頭巾４に収納された状態で、布団１０等の近傍に配置されることが望ましい。さらに、この例では、前記収納ボックス３の所定の位置に付着テープ７等を配し、これによって防災頭巾４の内面に固定されることが望ましい。
【００２０】
これによって、避難時に、防災頭巾４も忘れずに持ち出すことができるものである。また、防災頭巾４の一方は広く開いていることから、防災頭巾４をつけたままでの収納ボックス３内に入れた物を取り出すことができるものである。
【図面の簡単な説明】
【００２１】
【図１】本願発明に係る避難時携帯用具の概略構成図である。
【図２】収納ボックスの一例を示した斜視図である。
【図３】本願発明に係る避難時携帯用具の配置状態を示した説明図である。
【図４】防災頭巾内に収納ボックスを配置した状態を示した説明図である。
【符号の説明】
【００２２】
１  避難時携帯用具
２  押さえマット
３  収納ボックス
４  防災頭巾
５  肩下げ紐
６  付着テープ
１０  布団
３１  蓋部
３２  本体部
３３  蝶番部
５０  照明部
６０  ポケット
【図１】
2005253843.tif 000003
【図２】
2005253843.tif 000004
【図３】
2005253843.tif 000005
【図４】
2005253843.tif 000006